(57)【要約】  たとえば光ディスクのような光記憶媒体に情報を書き込むための光記録装置（１０１、２０１）が記載される。該装置はレーザーダイオード（３０）、エンコーダ装置（１０、２１０）およびレーザードライバ回路（１２０、２２０）を有しており、該レーザードライバ回路はフリップフロップ素子（２５）、書き込み方式ジェネレータおよびレーザー電流ドライバ（２６）を有している。データ情報およびクロック情報を含む単一のエンコードされた信号（ＳEFMdata、ＳMUX）が１本の共通転送経路（１４）を通じてエンコーダ（１０、２１０）からドライバ回路（１２０、２２０）に転送される。該ドライバ回路はさらに、エンコーダから受信された前記単一のエンコードされた信号からデジタルデータ信号（ＳEFMdata）およびデジタルクロック信号（ＳCLK）を生成するよう設計された信号生成手段（１３０、２３０）を有する。
2007519131.tif 000002
【特許請求の範囲】
【請求項１】
データ信号を受信するための入力およびデータ情報とクロック情報とを含む単一のエンコードされた信号を与えるための出力を有するエンコーダ装置と、
前記エンコーダ装置からエンコードされた信号を受信するための信号入力を有し、デジタルデータ信号を受信するためのデータ入力とデジタルクロック信号を受信するためのクロック入力とをもつフリップフロップ素子を有するレーザードライバ回路、
とを有する光ディスク書き込み装置のための光書き込みシステムであって、
前記レーザードライバ回路がさらに前記ドライバ回路の信号入力に結合された信号入力を有する信号生成手段と、前記フリップフロップのデータ入力に結合されたデータ出力と、前記フリップフロップのクロック入力に結合されたクロック出力とを有しており、前記信号生成手段がそのデータ出力およびクロック出力に、その信号入力において受信されたエンコードされた信号からのそれぞれデジタルデータ信号およびデジタルクロック信号を生成するよう設計されていることを特徴とする光書き込みシステム。
【請求項２】
前記エンコーダ装置がその出力にデジタルデータ信号を生成するよう設計されており、前記信号生成手段がデジタルデータ信号からデジタルクロック信号を導出するために設計されているクロック信号再生手段であることを特徴とする、請求項１記載の光書き込みシステム。
【請求項３】
前記フリップフロップおよび前記再生手段が一つのユニットに統合されていることを特徴とする、請求項２記載の光書き込みシステム。
【請求項４】
前記エンコーダ装置がその出力にデジタルデータ信号およびデジタルクロック信号の合成に基づく合成信号を生成するよう設計されており、前記信号生成手段が前記エンコーダによって符号化されているような合成信号からデータ信号およびクロック信号を再生するよう設計された多重化解除手段であることを特徴とする、請求項１記載の光書き込みシステム。
【請求項５】
前記フリップフロップおよび前記多重化解除手段が一つのユニットに統合されていることを特徴とする、請求項４記載の光書き込みシステム。
【請求項６】
前記信号生成手段が前記フリップフロップ素子の直前に配置されていることを特徴とする、請求項１記載の光書き込みシステム。
【請求項７】
請求項１ないし６のうちいずれか一項記載の光書き込みシステムを有することを特徴とする、光記憶媒体に情報を書き込むための光記録装置。
【請求項８】
デジタルデータ信号およびデジタルクロック信号をレーザードライバ回路のフリップフロップ素子に加える方法であって：
・データ情報およびクロック情報を含む単一のエンコードされた信号を提供し、
・前記単一のエンコードされた信号を前記レーザードライバ回路に転送し、
・前記単一のエンコードされた信号からデジタルデータ信号およびデジタルクロック信号を導出し、
・前記導出されたデジタルデータ信号および前記導出されたデジタルクロック信号を前記フリップフロップ素子に加える、
ステップを有することを特徴とする方法。
【請求項９】
前記単一のエンコードされた信号が前記デジタルデータ信号であることを特徴とする、請求項８記載の方法。
【請求項１０】
・デジタルデータ信号およびデジタルクロック信号を生成し、
・これら二つの信号を多重化して単一のエンコードされた信号とし、
・前記単一のエンコードされた信号を前記レーザードライバ回路に転送し、
・前記単一のエンコードされた信号を多重化解除してデジタルデータ信号およびデジタルクロック信号を再生し、
・前記再生されたデジタルデータ信号および前記再生されたデジタルクロック信号を前記フリップフロップ素子に加える、
ステップを有することを特徴とする請求項８記載の方法。
【発明の詳細な説明】
【技術分野】
【０００１】
本発明は一般には光記憶媒体に情報を書き込む光記録装置に関するものである。より詳細には光記憶ディスクに関するが、必ずしもそれ以外を排除するものではない。以下では、本発明は光記憶ディスクの場合について説明され、当該装置も「光ディスクドライブ」と記すこともあろう。
【背景技術】
【０００２】
一般に知られているように、光記憶ディスクは少なくとも１本のトラックを有する。トラックは記憶領域の連続的な渦巻きの形、または多重の同心円の形であり、ここに情報がデータパターンの形で記憶される。光ディスクは、製造中に情報が記録され、ユーザーはその情報を読むことしかできない読み出し専用型であってもよい。光記憶ディスクはまた、ユーザーが情報を保存することのできる書き込み可能型であってもよい。書き込み可能光記憶ディスクの記憶領域に情報を書き込むために、光ディスクドライブは、一方では光ディスクを受け入れて回転させる回転手段を有し、他方では光ビーム、典型的にはレーザービームを生成して該レーザービームで前記記憶トラックを走査するための光学的手段を有する。光ディスク一般および光ディスクに情報が記憶される仕方についての技術は一般に知られているので、この技術についてここで詳細に述べる必要はない。本発明の理解のためには、ディスク材料の性質が変化した位置のパターンが符号化された情報に対応し、前記レーザービームが変調されてそのようなパターンを生じさせるということを述べておけば十分である。
【０００３】
より具体的には、レーザードライブ信号は、それぞれＨＩＧＨおよびＬＯＷまたは「１」および「０」と示される二つの値の一つをとることのできるデジタル信号である。レーザードライバ信号がＬＯＷであれば、レーザー出力強度は、ディスク材料上にいわゆる「ランド」を生じさせるようなものである。レーザードライバ信号がＨＩＧＨであれば、レーザー出力強度は、いわゆる「ピット」を生じさせるようなものである。エンコーダ信号のレーザービーム制御信号への翻訳は一般に書き込み方式（write-strategy）と称され、一般に書き込み方式ジェネレータ（WSG:  Write  Strategy  Generator）によって実行される。
【０００４】
前記光走査手段は、レーザーダイオードとレーザーダイオードドライバとを有する光ピックアップユニットを有している。レーザーダイオードドライバは、書き込み方式ジェネレータおよびレーザーダイオード駆動信号を決定するレーザー電流ドライバのほかにフリップフロップ素子を有している。のちにより詳細に説明するように、フリップフロップ素子はデータ信号とクロック信号をそれぞれ受信するための二つの入力を有している。簡単に言えば、クロック信号はフリップフロップ出力信号の変化のタイミングを決定するデジタル信号であり、一方のデータ信号は該クロック信号によって決定された瞬間にフリップフロップ出力信号がとる値を決定する。
【発明の開示】
【発明が解決しようとする課題】
【０００５】
フリップフロップ素子を所望の状態（すなわち、ＨＩＧＨまたはＬＯＷ）に信頼できる形で設定するために、フリップフロップ素子は、アクティブなクロック信号エッジのまわりのある時間窓の間入力信号が安定していることを要求する（設定および保持要求）。これらの要求が満たされなければ、データ誤りが生じうる。
【０００６】
これに関して、個々のフリップフロップ素子によっては、他のものより厳格な設定および保持要求を有していることもある。実際、これらの要求はバッチによって、それどころか素子によって異なりうるものである。他方、クロック信号およびデータ信号はエンコーダ装置によって与えられ、クロック信号とデータ信号との間の位相関係は異なるエンコーダ装置については異なりうるものであり、それどころか一つのエンコーダ装置についてであっても温度や電源の変動などによって時間的に変動しうるものである。上述した問題は書き込み速度（データレート）が上がると深刻さを増す。
【０００７】
したがって、前記フリップフロップ決定時間窓の間にクロック信号およびデータ信号の安定性を向上させることによってデータ誤りの可能性を減らすことが本発明の重要な目的の一つである。
【０００８】
現状の技術においては、エンコーダはクロック信号とデータ信号とを二つの別個の出力端子に与え、これら二つの信号は二つの物理的に別個の伝送経路、すなわち別個の線路を通じて光ピックアップユニットに転送される。エンコーダは光ピックアップユニットからは比較的長い距離のところに位置しているため、これら二つの物理的に別個な転送経路は必然的にクロック信号とデータ信号との間の位相差に影響をもつ。この影響はほとんど予言不能かつ制御不能であり、時間および温度とともに変動しうる。この効果のためにタイミングの余裕が減じ、あるいはなくなることさえありうる。
【０００９】
より具体的には、高ビットレートが可能でありながら、レーザードライバユニットにおける設定および保持要求が満たされやすいような光記録装置を提供することが本発明の目的である。
【課題を解決するための手段】
【００１０】
本発明のある重要な側面によれば、この目的は、固定した位相関係で単一の共通転送経路を通じてデータ信号とクロック信号に関係する情報とを転送することによって達成される。
【００１１】
ある実施形態では、データ信号そのものがクロック信号に関係する情報を含んでいるとの理解に基づき、データ信号のみが転送される。そして光ピックアップユニットは当該データ信号からクロック信号を再生するためのクロック信号再生手段を具備する。
【００１２】
別の実施形態では、データ信号およびクロック信号から合成信号が生成され、この合成信号が転送される。一方、光ピックアップユニットは当該合成信号からクロック信号およびデータ信号を再生するための多重化解除手段を具備する。
【発明の効果】
【００１３】
データ信号およびクロック信号の位相関係に関する問題を解消または少なくとも低減させることとは別に、１本の転送経路を通じて一つだけの信号が転送されるという単なる事実がすでに追加的な利点を提供する。エンコーダの一つの出力端子が今や空いており、他の目的に使うこともできるし、あるいは省略することもできる。光ピックアップユニットへのケーブル中で一つの高周波信号が除去されることになり、この信号（クロック信号）は当該光ピックアップユニットの内部を除けばシステム全体からさえ除去される。
【００１４】
これらのことを含む本発明のさまざまな側面、特徴および利点について、以下の本発明の記載によって図面を参照しつつさらに説明する。図面において同じ参照符号は同じまたは同様の部分を示す。
【発明を実施するための最良の形態】
【００１５】
図１は、従来技術に基づく光ディスク書き込み装置１の光書き込みシステム２を概略的に示している。光書き込みシステム２はデータソース（簡単のため図示していない）からデータ信号ＳDを受信するための入力１１を有するエンコーダ装置１０を有している。エンコーダ１０は、符号化処理、典型的にはよく知られた８ｔｏ１４変調符号化（EFM:  eight-to-fourteen  modulation  coding）を実行し、データ出力１２にＥＦＭデータ信号ＳEFMdataを、クロック出力１３にＥＦＭクロック信号ＳCLKを与える。ＥＦＭ変調符号化そのものは既知なので、この符号化方式についてここで詳細に説明する必要はない。
【００１６】
光書き込みシステム２はさらにレーザーダイオード３０および該レーザーダイオード３０を駆動するためのドライバ回路２０を有している。該ドライバ回路２０は、データ信号ＳEFMdataを受信するためのエンコーダ１０のデータ出力１２に結合されたデータ入力２２を有しており、またクロック信号ＳCLKを受信するためのエンコーダ１０のクロック出力１３に結合されたクロック入力２３を有している。ドライバ回路２０はさらに、レーザーダイオード３０に結合したドライブ出力２４を有しており、レーザーダイオード駆動信号ＳLを与える。
【００１７】
図１に示したように、ドライバ回路２０は、入力２７および出力２８を有し、該出力２８が当該ドライバ回路２０の駆動出力２４に接続されているようなレーザー電流ドライバユニット２６を有する。この例における該レーザー電流ドライバユニット２６は書き込み方式ジェネレータを有しているが、これは個別には図示していない。
【００１８】
図１に示したように、ドライバ回路２０はさらにＤ型フリップフロップ素子２５を有する。これは、ドライバ回路２０のデータ入力２２に結合されたデータ入力Ｄを有し、ドライバ回路２０のクロック入力２３に結合されたクロック入力ＣＬＫを有し、およびレーザー電流ドライバユニット２６の入力２７に結合された出力Ｑを有している。
【００１９】
図２は、ドライバ回路２０の動作を概略的に示している。符号化されたデータ信号ＳEFMdataは、それぞれＨＩＧＨおよびＬＯＷまたは「１」および「０」として示される二つの値をとることのできるデジタル信号である。これら二つの値の間の遷移は信号のエッジとして示される。同様に、クロック信号ＳCLKは、それぞれＨＩＧＨおよびＬＯＷまたは「１」および「０」として示される二つの値をとることのできるデジタル信号である。これら二つの値の間の遷移もやはり信号エッジとして示されている。いずれの場合にも、「０」から「１」への遷移は立ち上がりエッジとして示され、「１」から「０」への遷移は立ち下がりエッジとして示されている。
【００２０】
クロック信号ＳCLKの立ち下がりエッジがクロック入力ＣＬＫにおいて受信されるたびに、このＤ型フリップフロップ素子２５はその出力Ｑにおける出力信号の値を、データ入力Ｄにおけるデータ信号ＳEFMdataの瞬間値に等しくなるようにする。そしてこの出力信号はクロック信号ＳCLKの次の立ち下がりエッジ到着まで維持される。こうして、図２の時刻ｔ１では、フリップフロップ出力信号ＳQは高になる。時刻ｔ２およびｔ３においては、フリップフロップ出力信号ＳQは、フリップフロップデータ入力におけるデータ信号ＳEFMdataがまだ高であるため高のままである。しかし、時刻ｔ４においては、今やフリップフロップデータ入力Ｄにおけるデータ信号ＳEFMdataが低なので、フリップフロップ出力信号ＳQは低になる。フリップフロップ出力信号ＳQはデータ信号ＳEFMdataと同様のデータ信号を確立するが、タイミングを変えたものと考えることができる。このため、フリップフロップ出力信号ＳQはタイミング変更されたデータ信号とも称される。
【００２１】
図２に示した状況では、フリップフロップ素子２５はクロック信号の立ち下がりエッジに反応するので、クロック信号の立ち下がりエッジがアクティブエッジとして示される一方、クロック信号の立ち上がりエッジは非アクティブエッジとして示されている。
【００２２】
以下では、二つのタイミングパラメータが定義される。第一のタイミングパラメータは、データ信号ＳEFMdataのあるエッジとクロック信号ＳCLKの次のアクティブエッジとの間の時間差であり、ＴSETUPと記す。このタイミングパラメータは、クロック信号ＳCLKの次のアクティブエッジの生起前に変化を起こすデータ信号が安定である時間を示す。
【００２３】
第二のタイミングパラメータは、データ信号ＳEFMdataのあるエッジとクロック信号ＳCLKの直前のアクティブエッジとの間の時間差であり、保持時間ＴHOLDと記す。このタイミングパラメータは、クロック信号ＳCLKの直前のアクティブエッジの生起後にデータ信号が安定であり続ける時間を示す。
【００２４】
図２に示した状況において、データ信号ＳEFMdataのエッジはクロック信号ＳCLKの非アクティブエッジと整列している。その場合、ＴSETUPおよびＴHOLDはいずれもクロック周期τCLKの半分に等しい。
【００２５】
図３のＡは、データ信号ＳEFMdataのエッジがクロック信号ＳCLKの非アクティブエッジより若干遅れて到着する状況を示している。この場合、ＴSETUP＜０．５τCLKであり、ＴHOLD＞０．５τCLKである。
【００２６】
図３のＢは、データ信号ＳEFMdataのエッジがクロック信号ＳCLKの非アクティブエッジより若干早く到着する状況を示している。この場合、ＴSETUP＞０．５τCLKであり、ＴHOLD＜０．５τCLKである。
【００２７】
フリップフロップ２５の設定および保持時間要求に関しては、図２の状況がＴSETUPおよびＴHOLDのうちの小さいほうが極大になるので理想的である。
【００２８】
データとクロックとの間の固定遅延の場合には、ＴSETUPおよびＴHOLDは互いに等しくない。その場合、遅延の大きさによっては、立ち上がりエッジをアクティブエッジと見なすほうがよいことがありうる。そのことはクロック信号を反転することによって実現できる。
【００２９】
設定および保持時間は素子によって変動しうる一方、一つの素子についても設定および保持時間は時間とともに変動しうる。このことは、エンコーダ１０の出力１２および１３における内部遅延４１および４２によって、またドライバ２０の入力２２および２３における内部遅延４３および４４によって表される。内部遅延４１および４２はエンコーダ１０の内部で生じるタイミング差を表し、その一方、内部遅延４３および４４はエンコーダ１０とフリップフロップ２５との間の信号転送によって引き起こされるようなタイミング差を表す。
【００３０】
この点に関し、従来技術においてはデータ信号ＳEFMdataおよびクロック信号ＳCLKはエンコーダ１０（出力１２および１３）から比較的長い二つの物理的に別個の転送経路１４および１５、すなわち別個の線路を通じてドライバ２０（入力２２および２３）に転送されていたことが注目される。結果として、これら２本の別個の信号線路１４および１５に付随する内部遅延４３および４４はかなり変動しうる。それはクロック信号とデータ信号との間の位相差の変動を引き起こし、それは当該データ信号の極大ビットレートを制限することになる。
【００３１】
フリップフロップ２５のＤ入力およびＣＬＫ入力において測定される設定および保持時間ＴSETUPおよびＴHOLDのそれぞれをできるだけ大きくすることが一般に望ましい。この要求は、データ信号ＳEFMdataのエッジがクロック信号ＳCLKの非アクティブエッジと実質整列していることを保証することが望ましいということを含意している。他方、システムの設計によっては、クロック信号ＳCLKの非アクティブエッジどうしの間にある所定の時間差が存在することが望ましいことがありうる。いずれの場合においても、フリップフロップ２５の入力ＤおよびＣＬＫにおいて測定される設定および保持時間ＴSETUPおよびＴHOLDはできるだけ一定であることが望ましい。
【００３２】
この目的のため、本発明はエンコーダ１０内部の内部遅延４１および４２が実質解消され、エンコーダ１０とドライバ２０との間での内部遅延４３および４４の効果が実質低減される光書き込みシステムを提供する。本発明によれば、エンコーダからドライバに転送される信号は一つだけであり、この一つだけの信号がデータ信号およびクロック信号の情報を含む。
【００３３】
図４は、本発明に基づく光書き込みシステム１０２をもつ光ディスク書き込み装置１０１の第一の実施形態を概略的に示すブロック図である。この第一の実施形態では、前記の一つの信号はデータ信号ＳEFMdataそのものであり、光書き込みシステム１０２のドライバ１２０は該データ信号からクロック信号を再生するためのクロック信号再生手段１３０を具備する。
【００３４】
より具体的には、光書き込みシステム１０２が有するエンコーダ１０は、図１を参照しつつ議論した従来技術のエンコーダ１０と同一であってもよく、そのデータ出力１２においてＥＦＭデータ信号ＳEFMdataを与えている。そのクロック出力１３において与えられるクロック信号は使われず、クロック出力１３はドライバ１２０のどの端子にも接続されない。よって、クロック出力端子のないエンコーダを使うことも可能である。
【００３５】
ドライバ１２０はクロック信号再生器１３０を有している。これはドライバ１２０のデータ入力２２に接続されてデータ信号ＳEFMdataを受信する入力１３１を有し、データ出力１３２およびクロック出力１３３を有する。クロック信号再生器１３０は受信したデータ信号を基礎としてクロック信号を再生するよう設計されている。そのようなクロック再生装置そのものは既知であり光ディスク読出し装置の読出しチャネルにおいても一般的に使われているので、またそのような既存のクロック再生装置を本発明の実装のために使うことが可能であるので、クロック再生装置の設計および動作についてここで詳細に説明する必要はない。
【００３６】
フリップフロップ２５のデータ入力Ｄはクロック信号再生器１３０のデータ出力１３２に結合され、フリップフロップ２５のクロック入力ＣＬＫはクロック信号再生器１３０のクロック出力１３３に結合されている。よって、フリップフロップ２５はデータ信号とクロック信号の両方を受信しており、フリップフロップ２５の動作は図１を参照しつつ説明した動作と同一である。
【００３７】
エンコーダ１０からドライバ１２０へ転送される信号が一つだけであるので、エンコーダ１０内または転送経路１４内のいかなる内部遅延４１もデータ信号とクロック信号との間の位相関係においていかなる役割も果たさない。再生器１３０からフリップフロップ２５への転送経路は非常に短いため、ドライバ１２０内で生じる内部遅延４３および４４は非常に小さく、考えられる時間的変動、あるいは温度の関数としての変動はそもそも存在したとしても非常に小さいものになる。
【実施例】
【００３８】
図５は、本発明に基づく光書き込みシステム２０２をもつ光ディスク書き込み装置２０１の第二の実施形態を概略的に示すブロック図である。この第二の実施形態では、前記の一つの信号はデータ信号とクロック信号から生成される合成信号であり、光書き込みシステム２０２のドライバ２２０は該合成信号からクロック信号およびデータ信号を再生するための多重化解除手段２３０を具備する。
【００３９】
より具体的には、光書き込みシステム２０２が有するエンコーダ２１０は、図１を参照しつつ上で議論したＥＦＭデータ信号ＳEFMdataとクロック信号ＳCLKとの合成に基づく合成信号ＳMUXを与えるための合成信号出力２１２を有している。第一の実施形態１０２のエンコーダ１０の場合と同様に、エンコーダ２１０も本発明の実装のためには出力を一つ有する必要があるだけであることが注目される。
【００４０】
二つのデジタル信号を一つの信号に多重化し、この一つの信号を二つの元来のデータ信号に多重化解除するためには、現状技術においていくつかの方策が存在し、それら既存の方策の多くが本発明を実装する際に適用可能であることを注意しておく。したがって、可能な多重化装置および対応する多重化解除装置の入念な記述はここでは省略される。いくつかの例に触れておけば十分である。
【００４１】
ある単純な実施例では、合成信号ＳMUXは、次の表に従ってＥＦＭデータ信号ＳEFMdataおよびクロック信号ＳCLKから生成された４レベル信号でありうる。
【００４２】
【表１】
2007519131.tif 000003
別の単純な実施例では、合成信号ＳMUXは、次の表に従ってＥＦＭデータ信号ＳEFMdataおよびクロック信号ＳCLKから生成された３レベル信号でありうる。
【００４３】
【表２】
2007519131.tif 000004
いずれの場合においても、エンコーダ２１０は、ほんのいくつかの比較的単純な構成要素を用いて簡単に設計できる。そのことは上記の表を参照すれば当業者には明らかであろう。
【００４４】
合成信号ＳMUXは多重化信号と考えることができる。ドライバ２２０はデマルチプレクサ２３０を有しており、該デマルチプレクサ２３０はドライバ２２０の信号入力２２２に接続されて合成信号ＳMUXを受信する入力２３１を有し、データ出力２３２およびクロック出力２３３を有する。デマルチプレクサ２３０は受信された合成信号を基礎としてデータ信号ＳEFMdataおよびクロック信号ＳCLKを再生するよう設計される。デマルチプレクサ２３０は、ほんのいくつかの比較的単純な構成要素を用いて簡単に設計できる。そのことは上記の表を参照すれば当業者には明らかであろう。したがって、デマルチプレクサの設計および動作についてここでこれ以上詳細に説明する必要はない。
【００４５】
フリップフロップ２５のデータ入力Ｄはデマルチプレクサ２３０のデータ出力２３２に結合されており、フリップフロップ２５のクロック入力ＣＬＫはデマルチプレクサ２３０のクロック出力２３３に結合されている。よって、フリップフロップ２５はデータ信号とクロック信号の両方を受信しており、フリップフロップ２５の動作は図１を参照しつつ説明した動作と同一である。
【００４６】
エンコーダ２１０からドライバ２２０へ転送されるのが単一の合成信号だけであるので、エンコーダ２１０によって決まるクロック信号とデータ信号との間の位相関係はドライバ２２０への転送の間固定されている。エンコーダ２１０内または転送経路１４内のいかなる内部遅延４１もデータ信号とクロック信号との間の位相関係にはいかなる役割も果たさない。デマルチプレクサ２３０からフリップフロップ２５への転送経路は非常に短いため、ドライバ２２０内で生じる内部遅延４３および４４は非常に小さく、考えられる時間的変動、あるいは温度の関数としての変動はそもそも存在したとしても非常に小さいものになる。
【００４７】
図５の第二の実施形態は、図４の第一の実施形態に比べて、デマルチプレクサ２３０のほうが再生器１３０よりも単純な設計であるという利点がある。他方、第二の実施形態のエンコーダ２１０は第一の実施形態のエンコーダ１０に対してやや複雑さを増している。
【００４８】
このように、本発明は、たとえば光ディスクのような光記憶媒体に情報を書き込むための光記録装置１０１、２０１を提供する。該装置はレーザーダイオード３０、エンコーダ装置１０、２１０およびレーザードライバ回路１２０、２２０を有しており、該レーザードライバ回路はフリップフロップ素子２５、書き込み方式ジェネレータおよびレーザー電流ドライバ２６を有している。
【００４９】
データ情報およびクロック情報を含む単一のエンコードされた信号ＳEFMdata、ＳMUXが１本の共通転送経路１４を通じてエンコーダ１０、２１０からドライバ回路１２０、２２０に転送される。該ドライバ回路はさらに、エンコーダから受信された前記単一のエンコードされた信号からデジタルデータ信号ＳEFMdataおよびデジタルクロック信号ＳCLKを生成するよう設計された信号生成手段１３０、２３０を有する。
【００５０】
本発明は上で議論したような代表例としての実施形態に限定されるものではなく、さまざまな変形および修正が付属の請求項において定義される本発明の保護範囲内において可能であることは当業者には明らかであろう。
【００５１】
たとえば、フリップフロップ２５はそれぞれ再生器１３０またはデマルチプレクサ２３０に統合されていてもよい。
【００５２】
さらに、図４の第一の実施形態において、原理的には、再生器１３０が自らデータ信号ＳEFMdataを出力するがフリップフロップ２５のデータ入力Ｄはドライバ入力２２に接続されているということも可能である。
【００５３】
さらに、ドライバ回路２０の出力信号はＥＦＭデータ信号に対して反転されていてもよい。
【００５４】
また、フリップフロップ素子２５はクロック信号の立ち上がりエッジに反応してもよく、その場合、位相差０がデータ信号エッジと立ち下がりクロック信号エッジとの整列に対応する。
【００５５】
さらに、光書き込みシステム２が信号生成器１３０、２３０のクロック信号出力１３３、２３３とフリップフロップ２５のクロック信号入力ＣＬＫとの間に配置された反転回路を有して、クロック信号ＳCLKの立ち上がりエッジがフリップフロップ２５のクロック信号入力ＣＬＫに現れるクロック信号Ｓ４の立ち下がりエッジとなり、また立ち下がりエッジが逆に立ち上がりエッジとなるようにすることも可能である。そのような反転回路は好ましくはたとえばＸＯＲゲートとして実装される制御可能な反転回路であり、一つの入力端子においてクロック信号ＳCLKを受信し、第二の入力端子において選択信号を受信する。これは当業者には明らかであろう。そのような制御可能反転回路を用いれば、データ信号エッジがエンコーダ出力クロック信号ＳCLKの立ち下がりエッジまたは立ち上がりエッジのどちらに近いかによって、エンコーダ出力のクロック信号ＳCLKの立ち下がりエッジまたは立ち上がりエッジのいずれをアクティブエッジとして選択することもできる。
【００５６】
さらに、本発明は書き換え可能記録材料のほかライトワンス記録材料のための光記録装置においても適用可能であることを注意しておく。
【００５７】
さらに、本発明は回転ディスクの形の記録材料に限定されないことを注意しておく。
【００５８】
上記では、本発明はブロック図を参照しつつ説明してきた。それは本発明に基づく装置の機能ブロックを示すものである。これらの機能ブロックの一つまたは複数がハードウェアにおいて実装され、そのような機能ブロックの機能が個々のハードウェア要素によって実行されてもよい。しかし、これらの機能ブロックの一つまたは複数がソフトウェアにおいて実装され、そのような機能ブロックの機能がコンピュータプログラムの一つもしくは複数のプログラム行またはマイクロプロセッサ、マイクロコントローラなどのプログラム可能デバイスによって実行されることもまた可能であることが理解されるものとする。
【図面の簡単な説明】
【００５９】
【図１】従来技術に基づく光書き込みシステムを示すブロック図である。
【図２】データ信号、クロック信号およびタイミング変更されたデータ信号の間の整列されたタイミング関係を示すグラフである。
【図３】ＡおよびＢは、図２と同様の形で、考えられる不整列を示すグラフである。
【図４】本発明に基づく光書き込みシステムの第一の実施形態を概略的に示すブロック図である。
【図５】本発明に基づく光書き込みシステムの第二の実施形態を概略的に示すブロック図である。
【図１】
2007519131.tif 000005
【図２】
2007519131.tif 000006
2007519131.tif 000007
【図４】
2007519131.tif 000008
【図５】
2007519131.tif 000009
【国際調査報告】
2007519131.tif 000010
2007519131.tif 000011
2007519131.tif 000012